【事件の表示】
　平成６年特許願第２０２９８２号「音響情報再生装置、音響情報再生方法」拒絶査定不服審判事件〔平成８年２月２０日出願公開、特開平８−５０７５６〕について、次のとおり審決する。
【結　論】
　本件審判の請求は、成り立たない。
【理　由】
第１　手続の経緯
　本願は、平成６年８月５日の出願であって、平成１５年１２月１８日付け拒絶理由通知に対して、平成１６年２月２３日付けで意見書及び手続補正書が提出されたが、同年３月１７日付けで拒絶すべき旨の査定がされ、これに対し、同年４月２２日に拒絶査定不服の審判が請求されるとともに、同年４月３０日に手続補正書が提出されたものである。
　
　
第２　平成１６年４月３０日付けの手続補正についての補正却下の決定
　
〔補正却下の決定の結論〕
　平成１６年４月３０日付けの手続補正（以下、「本件補正」という。）を却下する。
　
〔理　由〕
１．本件補正前及び本件補正後の本願発明
　本件補正は、特許請求の範囲及び発明の詳細な説明についてするもので、特許請求の範囲については、本件補正前の請求項１及び請求項５に「データが読み出されている間」とあったところを、「データの読み出し開始から読み出しが終了するまでの間」と限定するものであるから、特許法第１７条の２第４項第２号に掲げる事項を目的とするものである。
　そこで、本件補正後における特許請求の範囲に記載されている事項により構成される発明が特許出願の際独立して特許を受けることができるものであるか（特許法第１７条の２第５項において準用する同法第１２６条第５項に規定する要件を満たすか）否かを、請求項５に係る発明（以下、「本願補正発明」という。）について以下に検討する。
　
　あらためて本願補正発明を記載すると次のとおりのものである。
「【請求項５】　記録媒体収納部に収納される各記録媒体に記録された音響データのうち冒頭部分のデータを蓄積手段に予め蓄積し、
　上記記録媒体収納部に収納されている記録媒体のうち所定の記録媒体の再生操作が実行された場合には当該再生操作により指定された記録媒体の冒頭部分のデータを上記蓄積手段から読出し、
　上記冒頭部分のデータの読出し開始から読出しが終了するまでの間に上記所定の記録媒体のローディングを完了させると共に当該所定の記録媒体から上記冒頭部分のデータに続くデータを読み出して上記蓄積手段に蓄積し、
　上記蓄積手段からの冒頭部分のデータの読出しが終了したとき上記蓄積手段から上記冒頭部分のデータに続くデータを読み出す音響情報再生方法。」
　
２．引用例
　原査定の拒絶の理由に引用された、本願出願前に頒布された刊行物である特開平４−２５８８６７号公報（以下、「引用例」という。）には、図面とともに以下の技術事項が記載されている。
　
（ａ）
「【０００１】
【産業上の利用分野】本発明は記録媒体演奏方法に係り、特にコンパクトディスク、ＤＡＴテープ、コンパクトカセットテープ等の記録媒体を演奏する記録媒体演奏方法に関する。」
　
（ｂ）
「【０００５】
【発明が解決しようとする課題】以上から本発明の目的は、オートチェンジ機能付記録媒体演奏装置において、記録媒体交換中の無音状態の発生をなくすとともに直ちに所望曲の演奏ができ、また、所望の音楽の先頭部を繰り返し演奏したり音切れが生じることがない記録媒体演奏方法を提供することにある。
【０００６】
【課題を解決するための手段】本発明の１つにおいては、予め各記録媒体の最初の曲のイントロ部分の音響データを録音したメモリと、記録媒体選択指令に基づき記録媒体の交換を行い、最初の曲のイントロ部分の所定位置までサーチして待機する手段と、記録媒体の交換時、前記メモリから、前記記録媒体選択指令により指令された記録媒体の最初の曲のイントロ部分の音響データを読み出し再生してオーディオ出力する手段と、イントロ再生・出力が所定位置に来たとき、記録媒体の演奏を開始させるとともに、オーディオ出力をメモリ側から記録媒体側に切り換える手段により達成される。」
　
（ｃ）
「【０００８】
【作用】本発明の１つによれば、予めメモリに各記録媒体の最初の曲のイントロ部分の音響データを録音しておき、記録媒体選択指令に基づき記録媒体の交換を行い、最初の曲のイントロ部分の所定位置までサーチして待機する一方、記録媒体の交換時、前記メモリから、前記記録媒体選択指令により指令された記録媒体の最初の曲のイントロ部分の音響データを読み出し再生してオーディオ出力し、イントロ再生・出力が所定位置に来たとき、記録媒体の演奏を開始させるとともに、オーディオ出力をメモリ側から記録媒体側に切り換える。これにより、記録媒体の交換中に無音状態が発生せず、また、直ちに所望曲の演奏ができ、しかも、所望の音楽の先頭部を繰り返し演奏したり、音切れが生じることはない。」
　
（ｄ）実施例として、図１を参照して、
「【００１１】図中、１はＣＤチェンジャプレーヤであり、２は６枚のディスク（ＣＤ）がＮＯ１からＮＯ６の各ディスク位置番号に収納されたマガジン、３はディスクを演奏してオーディオ信号を出力するディスク演奏部、４はディスク演奏部３にセットされているディスクをマガジンの元のディスク位置に戻したり、マガジンより所定のディスクを取り出してディスク演奏部３にセットするディスク交換部、５はマイコン構成のチェンジャコントローラであり、イントロ演奏・録音指令に基づきディスクの順次交換制御と各ディスクの各曲の先頭から所定時間の演奏制御をしたり、ディスク選択指令に基づきディスク交換部４に対するディスク交換制御とディスク演奏部３に対する最初の曲の所定位置のサーチ制御，待機（ポーズ）制御及び演奏開始指令に基づく演奏開始制御をしたり、１または複数の曲送り指令に基づく所望曲の所定位置のサーチ制御，待機制御及び演奏開始指令に基づく演奏開始制御をしたりする。
【００１２】６は録再ＢＯＸであり、イントロ演奏・録音時、ＣＤチェンジャプレーヤ１と連動して、ディスク演奏部３から出力された各ディスクの各曲のイントロ部分の音響データを先頭から所定時間、ディスク位置及び曲番と対応させてメモリに録音し、再生時、ＣＤチェンジャプレーヤ１と連動してメモリに記憶した音響データを読み出し再生・出力する。７はメモリであり、マガジンの各ディスク位置別に、各曲の先頭から３０秒間の音響データを読み書き自在に記録する。
【００１３】８は記録・再生部であり、イントロ演奏・録音時、ディスク演奏部３から出力される音響信号を入力して、音響データの状態でメモリ７に記録し、再生時、メモリ７から音響データを読み出して再生・出力する。
【００１４】９はディスク演奏部３の出力と記録・再生部８の出力を切り換えるスイッチ、１０はミュート回路、１１はマイコン構成の記録・再生制御部であり、後述するバスを介してチェンジャコントローラ５や後述するコントロールＢＯＸとデータや指令等の通信を行いながら、記録・再生部８に対する記録制御や再生制御を行ったり、スイッチ９の切り換え制御やミュート回路１０に対するミュート制御を行ったりする。
【００１５】１２はコントロールＢＯＸであり、音響信号の増幅、操作指令の発生等を行う。１３はアンプであり、録再ＢＯＸ７のミュート回路１０を介して入力する音響信号の増幅を行う。１４はマイコン構成のシステムコントローラであり、イントロ演奏・録音指令、ディスク選択指令、曲送り指令等の出力や、装置の全体的な制御を行う。チェンジャコントローラ５、記録・再生制御部１１、システムコントローラ１４はバス１５を介して相互に接続され、各種指令やデータを授受できるようになっている。
【００１６】１６はアンプ１３で増幅後の音響信号を入力して音響変換するスピーカ、１７は操作部であり、１７ａは曲送りキー（ミュージックスキャンキー）、１７ｂはディスク選択キー、１７ｃはディスク位置の指定を行うテンキーである。
【００１７】メモリ７には、図２に示す如くＮＯ１〜ＮＯ６のディスク位置別に、各ディスクの各曲の先頭より３０秒間の音響データＫＴｉ１〜ＫＴｉｎｉ（ｉ＝１〜６、ｎｉ　はディスクの最後の曲番である）が読み書き自在に記録される。」
　
（ｅ）図３から図７のフロー図を参照して、
「【００１９】イントロ演奏・録音モードまず、マガジン２のＮＯ１（一番下側）〜ＮＯ６（一番上側）の６つのディスク位置の各々にユーザが希望のディスクを挿入し、マガジン全体をＣＤチェンジャプレーヤ１にセットすると、図示しない検出部で検出されたマガジン検出信号ＭＴＳがシステムコントローラ１４に入力され、イントロ演奏・録音指令がバス１５を介してチェンジャコントローラ５と記録・再生制御部１１に出力される。イントロ演奏・録音指令を入力したチェンジャコントローラ５は、ディスク位置ＮＯを示すｉを１とし、ディスク交換部４を制御してＮＯ１のディスクをマガジン２から取り出しディスク演奏部３にセットさせ、ディスク演奏部３よりＴＯＣ情報を読み取る（図３のステップ１０１、１０２）。
【００２０】次いで、曲番を示すｊを１とし、ＮＯ１のディスクに曲番１があれば、サーチステータス（ＳＳ）信号をバス１５を介して記録・再生制御部１１へ出力したあと、ディスク演奏部３に対しサーチ制御して曲番１の先頭をサーチし（ステップ１０３〜１０６）、サーチ完了した所でプレイモードステータス（ＰＭＳ）信号をバス１５を介して記録・再生制御部１１へ出力し（ステップ１０７）、ＰＬＡＹ制御を行ってサブコードのＰタイムを監視しながら３０秒の位置まで演奏させる（ステップ１０８）。３０秒の演奏が終わると、ｊをインクリメントし（ステップ１０９）、次の曲番が有れば、前述と同様にしてＳＳ信号を出力したあと先頭をサーチし、続いてＰＭＳ信号を出力して３０秒の演奏を行う。以下、同様にして最終曲番（ｎ１　＝６とする）の演奏が終わるとＮＯ１のディスクに関する演奏終了信号をバス１５を介して記録・再生制御部１１へ出力する（ステップ１０４、１１０）。
【００２１】一方、イントロ演奏・録音指令を入力した記録・再生制御部１１は、ミュート回路１０に対しミュート制御を行ったあと（図４のステップ２０１）、ｉ＝ｊ＝１とし（ステップ２０２）、ＰＭＳ信号を入力した所で記録・再生部８に対しまずＫＴ１１の記録指令を出力する。記録指令を受けた記録・再生部８は、ディスク演奏部３から入力する曲番１のイントロ部分の音響信号をディジタル化した音響データの状態でメモリ７にＫＴ１１として書き込んでいく（ステップ２０３、２０４）。３０秒間録音し、ＳＳ信号を入力したとき、記録・再生制御部１１は記録停止制御を行って録音を停止させ（ステップ２０５、２０６）、ｊをインクリメントし（ステップ２０７）、次のＰＭＳ信号が入力されれば、ＫＴ１２の記録指令を出力し、記録・再生部８をして曲番２の音響データをメモリ７にＫＴ１２として書き込ませていく（ステップ２０３、２０４）。以下同様にして、最終曲番６の音響データＫＴ１６の３０秒間の録音をしたところで入力する演奏終了信号に基づき記録・再生制御部１１はｉをインクリメントし、ｊを１に戻して次のＰＭＳ信号の入力を待つ（ステップ２０８〜２１１）。
【００２２】次いで、チェンジャコントローラ５はｉが６でないのでインクリメントし（ステップ１１１、１１２）、ＮＯ２のディスクへの交換制御を行ったあと（ステップ１０２）、前述と同様に曲番１から最終曲番（ｎ２　＝６とする。ＮＯ３から６のディスクの最終曲番ｎ３　〜ｎ６　も全て６とする）までイントロ部分の３０秒間の演奏を行わせ、記録・再生制御部１１も各曲のイントロ部分の音響データをＫＴ２１〜ＫＴ２６として記録させる。以下、同様にして、ＮＯ６のディスク最終曲番のイントロ演奏・録音が終了したところで、記録・再生制御部１１はミュート回路１０に対しミュートオフ制御を行う（図４のステップ２１０、２１２）。この結果、メモリ７にはＮＯ１からＮＯ６の各ディスク位置別に、曲番１から最終曲番６までのイントロ部分３０秒間がＫＴ１１〜ＫＴ１６として記録される（図２参照）。」
　
（ｆ）
「【００２３】演奏モード（ディスク選択のみ、図８参照）
イントロ演奏・録音が終了したあと、ユーザが例えばディスク選択キー１７ｂを押圧し、テンキー１７ｃで「３」を入力すると、システムコントローラ１４からディスク選択指令としてディスク選択番号「３」がバス１５を介してチェンジャコントローラ５と記録・再生制御部１１が出力される。ディスク選択指令を入力したチェンジャコントローラ５はｉ＝３として登録し（図５のステップ３０１）、現在セットされているディスクと異なるので、ディスクチェンジステータス（ＤＣＳ）信号をバス１５を介して記録・再生制御部１１へ出力し（ステップ３０２、３０３）、ｊ＝１としＮＯ３のディスクへの交換制御を行う（ステップ３０４、３０５）。そして、ディスク交換が終了したならば、サブコードのＰタイムを監視しながら曲番１の先頭より２０秒の位置をサーチしてポーズ状態となり（ステップ３０６〜３０８、図６のステップ４０１）、演奏開始指令の入力を待つ（ステップ４０２）。
【００２４】一方、ディスク選択指令を入力した記録・再生制御部１１はｉ＝３として登録し、スイッチ９を記録・再生部８側に切り換える（図７のステップ５０１、５０２）。そして、ＤＣＳ信号を入力したところで、ｊ＝１とし（ステップ５０３、５０４）、記録・再生部８に対しＫＴ１１の再生指令を出力する。再生指令を受けた記録・再生部８はメモリ７からＫＴ１１を読み出し、再生してオーディオ信号を出力する（ステップ５０５）。イントロ部分のオーディオ信号はスイッチ９、ミュート回路１０を介してアンプ１３で増幅されスピーカ１６より音響出力される。これにより、ユーザはディスク交換開始時から選択したディスクの音楽が何か速やかに確認でき、所望のディスクでなければ他のディスクへの切り換えができる。２０秒の位置まで再生したところで、記録・再生制御部１１は記録・再生部８の再生を停止させ、演奏開始指令をバス１５を介してチェンジャコントローラ５側へ出力し、スイッチ９をディスク演奏部３側に切り換える（ステップ５０６〜５０８）。
【００２５】演奏開始指令を入力したチェンジャコントローラ５はディスク演奏部３に対しポーズ解除とＰＬＡＹ制御を行い曲番１の先頭から２０秒の位置より、演奏を開始させる（図６のステップ４０２、４０３）。ディスク演奏部３から出力されたオーディオ信号はスイッチ９、ミュート回路１０を経てアンプ１４で増幅され、スピーカ出力される。これにより、ユーザは選択したディスクの音楽をディスク交換中より速やかに聴取でき、ディスク交換中に無音状態が生じず、また、メモリ再生とディスク演奏がイントロ部分の２０秒の位置で連続するので、最初の曲の先頭部分を繰り返し演奏したり音切れが生じることはない。
【００２６】なお、操作部に連続演奏キーが設けられており、連続演奏キーが押圧されると、システムコントローラは或るディスクの演奏が終わると、次のディスクの選択指令を自動的に出力する場合も、前述と同様にして、ディスクの交換中に予め交換後のディスクの最初の曲のイントロ部分を流すようにしてもよい。」
　
　上記引用例記載事項及び図面を総合勘案すると、引用例には、結局、次の発明が記載されている（以下、「引用発明」という）。
　
「各ディスク（ＣＤ）が各ディスク位置番号に収納されたマガジン、ディスクを演奏してオーディオ信号を出力するディスク演奏部、ディスク演奏部にセットされているディスクをマガジンの元のディスク位置に戻したり、マガジンより所定のディスクを取り出してディスク演奏部３にセットするディスク交換部、及びマイコン構成のチェンジャコントローラを有するＣＤチェンジャプレーヤ等のオートチェンジ機能付記録媒体演奏装置における記録媒体演奏方法であって、
　予めメモリに各記録媒体の最初の曲のイントロ部分３０秒分の音響データを録音しておき、
　記録媒体選択指令に基づき記録媒体の交換を行う際には、システムコントローラ１４からディスク選択指令がチェンジャコントローラ５と記録・再生制御部１１に出力され、ディスク選択指令を入力したチェンジャコントローラ５、ディスクチェンジステータス（ＤＣＳ）信号を記録・再生制御部１１へ出力し選択されたディスクへの交換制御を行い、ディスク交換が終了したならば、サブコードのＰタイムを監視しながら最初の曲のイントロ部分の所定位置である曲番１の先頭より２０秒の位置をサーチしてポーズ状態となり、演奏開始指令の入力を待つ一方、
　記録媒体の交換時、前記メモリから、前記記録媒体選択指令により指令された記録媒体の最初の曲のイントロ部分の音響データを読み出し再生してオーディオ出力し、
　イントロ再生・出力が所定位置に来たとき、記録媒体の演奏を開始させるとともに、オーディオ出力をメモリ側から記録媒体側に切り換えるようにすることにより、
　選択したディスクの音楽をディスク交換中より速やかに聴取でき、ディスク交換中に無音状態が生じず、また、メモリ再生とディスク演奏がイントロ部分の所定の位置で連続することにより、最初の曲の先頭部分を繰り返し演奏したり音切れが生じることがないようにした、
　音響データを記録した記録媒体の演奏方法。」
　
３．対比
　本願補正発明を、引用発明と比較する。
　引用発明における「各ディスク（ＣＤ）」等の「記録媒体」は、本願補正発明における「各記録媒体」に相当する。
　引用発明における「マガジン」は、前記各ディスクを各ディスク番号位置に収納するものであるから、本願補正発明の「記録媒体収納部」に相当する。
　引用発明における「各記録媒体の最初の曲のイントロ部分」は、本願補正発明の「各記録媒体に記録された音響データのうち冒頭部分のデータ」に相当する。
　引用発明における「メモリ」は、前記「各記録媒体の最初の曲のイントロ部分」を録音すなわち蓄積する点に関して本願補正発明の「蓄積手段」と共通している。
　引用発明における「記録媒体選択指令に基づき記録媒体の交換を行う際」には、ディスクの交換が終了したら、メモリからのイントロ再生、及び記録媒体からの演奏開始まで行われるものであるから、本願補正発明において「所定の記録媒体の再生操作が実行された場合」に相当する。
　引用発明において「前記メモリから、前記記録媒体選択指令により指令された記録媒体の最初の曲のイントロ部分の音響データを読み出し再生してオーディオ出力し」との動作は、本願補正発明において「当該再生操作により指定された記録媒体の冒頭部分のデータを上記蓄積手段から読出し」の動作に相当する。
　引用発明において、「曲番１の先頭より２０秒の位置をサーチしてポーズ状態となり、演奏開始指令の入力を待つ」、「前記メモリから、前記記録媒体選択指令により指令された記録媒体の最初の曲のイントロ部分の音響データを読み出し再生してオーディオ出力し」、及び「イントロ再生・出力が所定位置に来たとき、記録媒体の演奏を開始させるとともに、オーディオ出力をメモリ側から記録媒体側に切り換える」の各動作からすると、ディスク交換にはディスク演奏部へのローディングも含まれ、ディスク交換はメモリに録音したイントロ部分の再生が終了するまでに行われるように設定されていることが明らかであるから、前記各動作を総合すると本願補正発明の「上記冒頭部分のデータの読出し開始から読出しが終了するまでの間に上記所定の記録媒体のローディングを完了させる」ことに相当する。
　また、「最初の曲のイントロ部分の所定位置である曲番１の先頭より２０秒の位置をサーチしてポーズ状態となり、演奏開始指令の入力を待つ」動作は、メモリから出力したデータに続くデータを読み出すために行われるものであるから、本願補正発明において「当該所定の記録媒体から上記冒頭部分のデータに続くデータを読み出し」の動作を予定したものである点で共通している。
　引用発明において、「イントロ再生・出力が所定位置に来たとき、記録媒体の演奏を開始させるとともに、オーディオ出力をメモリ側から記録媒体側に切り換えるようにする」ことと、本願補正発明の「上記蓄積手段からの冒頭部分のデータの読出しが終了したとき上記蓄積手段から上記冒頭部分のデータに続くデータを読み出す」ことを比較すると、冒頭部分のデータの読み出しを所定の位置で終了して、当該冒頭部分のデータに続けて記録媒体から読み出されたデータによる再生を行う点で共通している。
　
　すると、本願補正発明と、引用発明とは、次の点で一致する。
＜一致点＞
　記録媒体収納部に収納される各記録媒体に記録された音響データのうち冒頭部分のデータを蓄積手段に予め蓄積し、
　上記記録媒体収納部に収納されている記録媒体のうち所定の記録媒体の再生操作が実行された場合には当該再生操作により指定された記録媒体の冒頭部分のデータを上記蓄積手段から読出し、
　上記冒頭部分のデータの読出し開始から読出しが終了するまでの間に上記所定の記録媒体のローディングを完了させ、
　上記蓄積手段からの冒頭部分のデータの読出しが（所定位置まで）終了したとき上記冒頭部分のデータに続くデータを読み出す音響情報再生方法。
　
　一方で、両者は、次の相違点で相違する。
（相違点）
　本願補正発明では、所定の記録媒体の再生操作が実行された場合、「当該所定の記録媒体から上記冒頭部分のデータに続くデータを読み出して上記蓄積手段に蓄積し、上記蓄積手段からの冒頭部分のデータの読出しが終了したとき上記蓄積手段から上記冒頭部分のデータに続くデータを読み出す」のに対し、引用発明では、記憶された最初の曲の３０秒分のイントロ部分のうち、所定位置である曲番１の先頭より２０秒の位置をサーチしてポーズ状態となり、演奏開始指令の入力を待つ一方、イントロ再生・出力が前記所定位置に来たとき、記録媒体の演奏を開始させて、記録媒体側からオーディオ出力するようにしている点。
　
４．判断
　記録媒体からデータを読み出して蓄積手段に蓄積し、当該蓄積手段からデータを読み出すことで間欠読み出しに対応し、振動等により読み出しに不連続が生じてもノイズや音切れの発生を防止可能とした再生方法は、例えば特開平５−１７４４９３号公報、特開平６−１５０５４１号公報、及び特開平６−１７６４９３号公報等にて、本願出願当時既に周知の事項にすぎないもので、引用発明に前記周知の再生方法を適用することは当業者が容易に想到しうるものである。その場合には、予め録音したイントロ部分のみならず、記録媒体から読み出したデータについても、再生を前提とするものである以上メモリに蓄積することとなるのは当然のことで、所定の位置において、メモリから出力したデータに続くデータを読み出すためにポーズ状態で待機することに代えて、データを読み出してメモリに蓄積するようにすることは当業者が容易に想到しうるものである。また、メモリにデータを重複して録音することに格別の技術的意義が認められないばかりか、メモリの効率的な利用の観点から無駄であることも明かであるから、引用発明における「所定の位置」を、予め録音したイントロ部分の終了位置とし、イントロ部分のデータに続くデータを読み出してメモリに蓄積し、イントロ部分のデータの読み出しが終了したときメモリからイントロ部分のデータに続くデータを読み出すようにすることは、当業者が容易に想到しうることであり、その作用効果も当業者が予測しうるものにすぎない。
　したがって、本願補正発明は、引用発明及び周知事項に基づいて当業者が容易に発明をすることができたものである。
　
５．本件補正についての結び
　以上のとおり、本願補正発明は、特許法第２９条第２項の規定により、特許出願の際独立して特許を受けることができないものであるから、本件補正は、特許法第１７条の２第５項で準用する同法第１２６条第５項に規定する要件を満たさないものであり、特許法第１５９条第１項で読み替えて準用する同法第５３条第１項の規定により却下すべきものである。
　
　
第３　本願発明について
１．本願発明
　平成１６年４月３０日付けの手続補正は上記のとおり却下されたので、本願の請求項１乃至５に係る発明は、平成１６年２月２３日付け手続補正書により補正された明細書の特許請求の範囲の請求項１乃至５に記載されたとおりのものであるところ、請求項５に係る発明（以下、「本願発明」という）は、次のとおりのものである。
　
【請求項５】　記録媒体収納部に収納される各記録媒体に記録された音響データのうち冒頭部分のデータを蓄積手段に予め蓄積し、
　上記記録媒体収納部に収納されている記録媒体のうち所定の記録媒体の再生操作が実行された場合には当該再生操作により指定された記録媒体の冒頭部分のデータを上記蓄積手段から読出し、
　上記冒頭部分のデータが読出されている間に上記所定の記録媒体のローディングを完了させると共に当該所定の記録媒体から上記冒頭部分のデータに続くデータを読み出して上記蓄積手段に蓄積し、
　上記蓄積手段からの冒頭部分のデータの読出しが終了したとき上記蓄積手段から上記冒頭部分のデータに続くデータを読み出す音響情報再生方法。
　
２．引用例
　原査定の拒絶の理由で引用された引用例及びその記載事項は、前記「第２　〔理由〕２．」に記載したとおりである。
　
３．対比・判断
　本願発明は、上記「第２　〔理由〕」で検討した本願補正発明から、
「データの読み出し開始から読み出しが終了するまでの間」とあったところを、「データが読み出されている間」に戻して限定を解除したものに相当する。
　
　そうすると、本願発明の構成要件を全て含み、更に他の要件を付加したものに相当する本願補正発明が前記「第２　〔理由〕４．」に記載したとおり、引用例に記載された発明及び周知事項に基づいて、当業者が容易に発明をすることができたものであるから、本願発明も、同様の理由により、引用例に記載された発明及び周知事項に基づいて当業者が容易に発明をすることができたものである。
　
４．むすび
　以上のとおり、本願の請求項５に係る発明は、特許法第２９条第２項の規定により特許を受けることができないものであるから、その余の請求項について論及するまでもなく、本願は拒絶すべきものである。
　よって、結論のとおり審決する。